(57)【要約】【課題】操作ノブの振動によって生じるガタつきや異音発生を防止することができる画像読取装置の提供を目的とする。【解決手段】用紙を搬送する用紙搬送機構と、当該用紙搬送機構の駆動軸に連接される操作ノブ３０とを備え、当該用紙の紙詰まりを解除するために、当該操作ノブを操作することにより用紙搬送機構を回転し得るように構成される画像読取装置であって、操作ノブ３０を付勢手段を介して取り付け固定する取り付け手段を備え、当該取り付け手段を非回転部位に取り付けることを特徴とする。【選択図】図２
2008050073.tif 000002
【特許請求の範囲】
【請求項１】
用紙を搬送する用紙搬送機構と、当該用紙搬送機構の駆動軸に連接される操作ノブとを備え、当該用紙の紙詰まりを解除するために、当該操作ノブを操作することにより用紙搬送機構を回転し得るように構成される画像読取装置であって、
前記操作ノブを付勢手段を介して取り付け固定する取り付け手段を備え、
当該取り付け手段を非回転部位に取り付けることを特徴とする画像読取装置。
【請求項２】
前記付勢手段を圧縮コイルバネで構成したことを特徴とする請求項１に記載の画像読取装置。
【請求項３】
用紙を搬送する用紙搬送機構と、当該用紙搬送機構の駆動軸に連接される操作ノブとを備え、当該用紙の紙詰まりを解除するために、当該操作ノブを操作することにより用紙搬送機構を回転し得るように構成される画像読取装置であって、
前記操作ノブを付勢手段を介して取り付ける取り付け手段を備え、
当該取り付け手段をキャップ構造で構成したことを特徴とする画像読取装置。
【請求項４】
前記操作ノブの取り付け用固定ボスに勘合するキャップを非回転となるように構成したことを特徴とする請求項３に記載の画像読取装置。
【請求項５】
前記付勢手段を圧縮コイルバネで構成したことを特徴とする請求項３または請求項４に記載の画像読取装置。
【発明の詳細な説明】
【技術分野】
【０００１】
本発明は、用紙を搬送する用紙搬送機構と、当該用紙搬送機構の駆動軸に連接される操作ノブとを備え、当該用紙の紙詰まりを解除するために、当該操作ノブを操作することにより用紙搬送機構を回転し得るように構成される画像読取装置に関するものである。
【背景技術】
【０００２】
従来からファクシミリ装置、複写機或いはプリンタ（これらの複合機も含む）等に採用される画像読取装置として、特許文献１のものが公知である。この特許文献１の画像読取装置は、以下の構成の用紙搬送装置が設けられている。
【０００３】
この用紙搬送装置は、駆動伝達機構より駆動力を得て回転駆動する搬送ローラと、該搬送ローラの周体に対して相互離反不能に押当する押当部材とよりなり、上記搬送ローラと押当部材とにより用紙をニップし且つ搬送ローラの回転により用紙を搬送するものであり、駆動伝達機構と搬送ローラの駆動軸との間に電磁クラッチが介在され、電磁クラッチがオンの時には、駆動伝達機構と搬送ローラとの駆動伝達系が確立し、電磁クラッチがオフの時には、搬送ローラがフリー回転可能となるよう構成されている。
【０００４】
さらに、図５に示すように、搬送ローラの駆動軸（不図示）には操作ノブ５１が連接され、電磁クラッチがオフの時には、紙詰まりを解消するために、操作ノブ５１の操作により搬送ローラ（不図示）を回転し得るように構成されている。
【０００５】
また、図６に示すように、操作ノブ５１は、その中心孔が、搬送路を構成するフレームから突出するボス６１に挿入され、ボス６１に形成された雌ネジ孔にワッシャ５３を介してネジ５２によって取り付けられる構造である。操作ノブ５１のギア５１ａと、搬送機構である駆動ローラの駆動軸に連接されるように機能するギア６２が噛み合い構造をとることで、操作ノブ５１と駆動ローラの駆動軸が連接されている。
【０００６】
しかしながら、操作ノブ５１と駆動軸とが連接される構造のため、通常の用紙搬送時においても駆動軸に連動して操作ノブ５１が回転するようになっていた。そのため、操作ノブ５１の取り付け用ネジ５２の緩み止めのためにネジ５２と操作ノブ５１の間に隙間６３を設けていた。また、ワッシャ５３による操作ノブ５１の削れを回避するためにもこの隙間６３は有効に機能するものであった。
【０００７】
【特許文献１】特開２００５−１７８９９５号公報（請求項１、請求項２、請求項３）
【発明の開示】
【発明が解決しようとする課題】
【０００８】
しかしながら、上記のように隙間６３が形成されていると、用紙搬送駆動時において、操作ノブ５１が振動し、この振動によってガタつき、異音が発生するという問題があった。
【０００９】
本発明は上記実情に鑑みてなされたものであり、その課題は、操作ノブの振動によって生じるガタつきや異音発生を防止することができる画像読取装置の提供を目的とする。
【課題を解決するための手段】
【００１０】
上記課題を解決するため本発明に係る画像読取装置は、
用紙を搬送する用紙搬送機構と、当該用紙搬送機構の駆動軸に連接される操作ノブとを備え、当該用紙の紙詰まりを解除するために、当該操作ノブを操作することにより用紙搬送機構を回転し得るように構成される画像読取装置であって、
操作ノブを付勢手段を介して取り付け固定する取り付け手段を備え、
当該取り付け手段を非回転部位に取り付けることを特徴とする。
【００１１】
この構成の作用効果は以下のとおりである。本発明の画像読取装置は、用紙を搬送する用紙搬送機構と、当該用紙搬送機構の駆動軸に連接される操作ノブとを備えている。当該用紙の紙詰まりを解除するために、当該操作ノブを操作することにより用紙搬送機構を回転し得るように構成されている。そして、操作ノブを付勢手段を介して取り付け固定する取り付け手段をさらに備え、当該取り付け手段が非回転部位に取り付けされ、固定されるように構成されている。
【００１２】
これによって、付勢手段が操作ノブを押し付けるように機能するので、用紙搬送の回転駆動時に操作ノブが振動せず、ガタつきや異音が発生することを防止できる。さらに、取り付け手段を、例えば操作ノブ周辺の非回転部位に取り付け固定したことにより、操作ノブの回転による取り付けネジの緩み問題を解消することもできる。
【００１３】
また、本発明において、付勢手段を圧縮コイルバネで構成することが好ましい。圧縮コイルバネの押し圧力（圧縮復元力）によって的確に操作ノブの振動を防止できる。
【００１４】
また、他の本発明に係る画像読取装置は、用紙を搬送する用紙搬送機構と、当該用紙搬送機構の駆動軸に連接される操作ノブとを備え、当該用紙の紙詰まりを解除するために、当該操作ノブを操作することにより用紙搬送機構を回転し得るように構成される画像読取装置であって、
操作ノブを付勢手段を介して取り付ける取り付け手段を備え、
当該取り付け手段をキャップ構造で構成したことを特徴とする。
【００１５】
この構成の作用効果は以下のとおりである。本発明の画像読取装置は、用紙を搬送する用紙搬送機構と、当該用紙搬送機構の駆動軸に連接される操作ノブとを備えている。当該用紙の紙詰まりを解除するために、当該操作ノブを操作することにより用紙搬送機構を回転し得るように構成されている。そして、操作ノブを付勢手段を介して取り付け固定する取り付け手段をさらに備え、当該取り付け手段がキャップ構造で構成されている。
【００１６】
これによって、例えば、キャップ内側に付勢手段を収納するように構成することで、付勢手段を介して操作ノブにキャップを取り付けることができる。付勢手段が操作ノブを押し付けるように機能するので、回転駆動時に操作ノブが振動せず、ガタつきや異音が発生することを防止できる。さらに、取り付け手段をキャップ構造で構成したことにより、取り付けネジが操作ノブに直接に接触することもない。
【００１７】
また、本発明において、操作ノブの取り付け用固定ボスに勘合するキャップを非回転となるように構成することが好ましい。これによって、操作ノブが回転してもキャップが回転することがなく、キャップ取り付けネジが緩むこともない。
【００１８】
また、本発明において、付勢手段を圧縮コイルバネで構成ことが好ましい。圧縮コイルバネをキャップ内側に収納するように構成することで、圧縮コイルバネに圧縮荷重が作用し、コイルバネの復元力で的確に操作ノブの振動を抑制することができる。
【発明を実施するための最良の形態】
【００１９】
本発明に係る画像読取装置の好適な実施形態を、適宜図面を用いて説明する。以下において、本発明に特有の技術を中心に説明し、従来公知の技術はその説明を簡単に或いは省略する場合がある。
【００２０】
本発明の画像読取装置は、例えば、ファクシミリ装置、複写機、ファクシミリと複写の両機能を備えた複合機等に具備されている。この画像読取装置は、自動原稿送り装置（以下、「ＡＤＦ」と称す）、画像読取部を有して構成される。ＡＤＦは、原稿トレイ上に載置された原稿用紙を一枚ずつ取り出し、画像読取部まで搬送する機能を有する。画像読取部は、搬送された原稿から画像情報を読み取る機能を有する。
【００２１】
（実施形態１）
図１は、ＡＤＦ１の要部の縦断面図を示すものである。ＡＤＦ１は、原稿トレイ２上の原稿（用紙）を１枚ずつ搬送しながら、その両面の画像を読み取って、それぞれデジタル信号として出力するための両面原稿読取装置として構成されている。尚、図１は、紙面奥側がＡＤＦ１の正面側（フロント側）、紙面手前側が背面側（リヤ側）であることを示している。
【００２２】
３は、原稿Ｄをその上層部より繰り出すピックアップローラである。４は、ピックアップローラ３によって繰り出された原稿Ｄを１枚ずつ分離して給送する原稿分離装置である。
【００２３】
上記原稿分離装置４により１枚ずつ分離された原稿Ｄは、Ｕターン状に形成された原稿搬送路５に沿って順次配設されたレジストローラ６、第１搬送ローラ７及び第２搬送ローラ８によりレジスト搬送される。
【００２４】
搬送された原稿Ｄは、第１の読取ポイントＰ１で、更に第３搬送ローラ９により第２の読取ポイントＰ２に給送される。そして、排出ローラ１０により排出トレイ１１に排出される。第１の読取ポイントＰ１にはプラテンガラス１２が配置され、原稿が該プラテンガラス１２上を通過する際、このプラテンガラス１２の下部に待機された読取走査装置１３により原稿表面の画情報が逐次読み取られ、デジタル信号として出力される。読取走査装置１３は、光源と、複数のミラーと、集光レンズと、ＣＣＤとよりなり、ユニット化され、キャリッジ上に搭載されている。
【００２５】
読取走査装置１３は、移動式読取走査装置として、フラットベッドスキャナ（ＦＢＳ）にも兼用するよう構成されている。ＡＤＦ１、原稿トレイ２及び排出トレイ１１は一体的に構成されてプラテンカバーを構成し、紙面手前側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００２６】
第２の読取ポイントＰ２では、搬送される原稿Ｄの裏面側に配置された密着型イメージセンサ１６によって、原稿Ｄの裏面の画像が読み取られ、電気信号に変換されてデジタル信号として出力される。
【００２７】
ピックアップローラ３、分離ローラ４ａ、レジストローラ６及び第１搬送ローラ７は、第１搬送系Ａを構成する。第２搬送ローラ８、第３搬送ローラ９、プラテンローラ１７及び排出ローラ１０は第２搬送系Ｂを構成する。これら２系統に類別された搬送系Ａ、Ｂは、１個のモータを駆動源とし、２系統の駆動伝達機構を介し、個別に駆動伝達がなされるよう構成されている。駆動伝達機構の詳細は省略する。
【００２８】
ピックアップローラ３は、分離ローラ４ａの駆動軸４ｄから例えばプーリベルト等によって駆動伝達されるよう構成される。分離ローラ４ａは不図示のワンウェイクラッチを介し駆動軸４ｄから駆動伝達される。従って、駆動軸４ｄの正回転により、ピックアップローラ３から原稿Ｄが繰り出され、当該原稿は分離ローラ４ａと分離パッド４ｂとの間に導入され、１枚ずつ分離されて下流側に給送される。
【００２９】
レジストローラ６、第１〜第３搬送ローラ７、８、９及び排出ローラ１０には、各々プレッシャーローラ６ａ、７ａ、８ａ、９ａ及び１０ａが対設される。原稿Ｄはこれらローラにニップされて搬送される。上記分離ローラ４ａとこれに連関するピックアップローラ３及びプレッシャーローラ６ａ、７ａは、ジャムアクセスカバー１８の内側に取付けられている。ジャムアクセスカバー１８はヒンジピン１８ａを支点として上下に開閉可能に構成されている。従って、第２搬送ローラ８までの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取り出しを行える。
【００３０】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、前記レジストローラ６の駆動軸６ｂを支点として上下に開閉可能に枢着された中間フレーム２１に取付けられている。第３搬送ローラ９より下流側でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取り出しを行える。
【００３１】
上記機体フレーム１９には、駆動伝達機構用の板金製本体フレーム（リヤフレーム）（不図示）が固設され、この本体フレームに、上記レジストローラ６、第１搬送ローラ７、第２搬送ローラ８、第３搬送ローラ９、プラテンローラ１７及び排出ローラ１０の駆動軸６ｂ、７ｂ、８ｂ、９ｂ、１７ａ及び１０ｂの一端部が軸支されている。また、板金製のモーターブラケットが、本体フレームに固設され、上記各ローラの共通の駆動源であるモータが取り付けられている。
【００３２】
上記各ローラの駆動軸６ｂ、７ｂ、８ｂ、９ｂ、１７ａ及び１０ｂの一端部にはギアが取り付けられ、これらギアに対してモータの出力ギヤ（出力軸）から、アイドラギヤ或いはベルト等を介して駆動伝達される構成である。
【００３３】
次に、第３搬送ローラ９及びプレスローラ９ａについて説明する。第３搬送ローラ９は、中間インナーガイドフレーム２０に取り付けられている。プレスローラ９ａは機体フレーム１９に対して、フリー回転可能且つ不図示の板ばね等の弾性部材により第３搬送ローラ９の周体に弾接するように取り付けられている。
【００３４】
第３搬送ローラ９は、所定の駆動伝達機構から駆動力を得て図１の矢視Ｙ方向に軸回転可能に構成されている。中間インナーガイドフレーム２０は、他の機構部等とのレイアウト上の制約から、機体フレーム１９に対して固定関係に構成されていることにより、第３搬送ローラ９とプレスローラ９ａとは、通常の操作で相互に離反することができないように構成されている。
【００３５】
第３搬送ローラ９の駆動軸９ｂの一端には、電磁クラッチ（不図示）を介してギアが取り付けられ、この電磁クラッチがオンの時には、タイミングベルト（不図示）の伝達手段により当該ギア及び第３搬送ローラ９が回転する。一方、電磁クラッチがオフの時には、駆動軸９ｂとギアとの駆動伝達系が遮断されるから、第３搬送ローラ９がフリー回転可能とされる。
【００３６】
第２搬送ローラ８は、第３搬送ローラ９からタイミングベルト等の駆動伝達機構によって駆動力を得る。この伝達機構を図２を用いて説明する。第３搬送ローラ９の駆動軸９ｂは、ＡＤＦ１を横断してフロント側に及び、機体フレーム１９に取付けられたフロントフレーム２５にそのフロント側端部が回転可能に保持されている。フロントフレーム２５は、中間インナーガイドフレーム２０のフロント側端部に、一体的に構成されている。また、第２搬送ローラ８の駆動軸８ｂも、そのフロント側端部が、フロントフレーム２５に保持されている。そして、両駆動軸９ｂ、８ｂのフロント側端部には、各々ギア９ｅ及び８ｃが取付けられ、両ギア９ｅ、８ｃにはタイミングベルト２６が張設され、これにより、第２搬送ローラ８への駆動伝達機構が確立される。
【００３７】
テンションプーリー２７が、引張スプリング２７ａの弾力付勢力により、タイミングベルト２６に作用して、タイミングベルト２６を常時緊張状態に維持するよう構成されている。
【００３８】
上記構成において、電磁クラッチ（不図示）がオンとされ、第３搬送ローラ９が駆動伝達系を介して回転駆動すると、ギヤ９ｅ、タイミングベルト２６及びギア８ｃを介した駆動伝達により、第２搬送ローラ８が同時に回転駆動する。また、上記電磁クラッチがオフの時には、第３搬送ローラ９と共に第２搬送ローラ８もフリー回転可能な状態となる。電磁クラッチは、少なくともジャム検出手段（不図示）によるジャム検出信号によりオフになるよう設定しておけばよく、こうすれば、ジャム発生時には、第２搬送ローラ８及び第３搬送ローラ９がフリー回転可能な状態となっているから、ジャムアクセスカバー１８を開き、必要によっては中間フレーム２１を開け、露見するジャム原稿の端部を引抜けば、抵抗が殆どない状態で原稿を取出すことができる。また、駆動伝達系との伝達系も遮断されているから、駆動伝達系を構成するギア等の歯欠けを惹起する懸念もない。
【００３９】
図２に示す例では、ジャム解除用（紙詰まり解除用）の操作ノブ３０が、ジャムアクセスカバー１８を開放すると操作ノブ３０の一部が露出するよう構成されている。第３搬送ローラ９の駆動軸９ｂには大径のギア９ｆが取り付けられている。このギア９ｆと操作ノブ３０のギア３０ａとの間に２段のアイドラギヤ２８が噛合介在している。また、アイドラギヤ２８にはラチェット機構等のワンウェイクラッチ手段２８ａが組み込まれている。操作ノブ３０を矢視方向に回転操作した時には、このワンウェイクラッチ手段２８ａのロック作用により、操作ノブ３０の回転がアイドラギヤ２８及びギア９ｆを介して第３搬送ローラ９に伝達される。更にこの第３搬送ローラ９の回転が第２搬送ローラ８にも伝達される。従って、第２搬送ローラ８及び第３搬送ローラ９においてニップされた状態で原稿ジャムが発生した時に、ジャムアクセスカバー１８を開けこの操作ノブ３０の露出部を矢視方向に回転操作し、第２搬送ローラ８及び第３搬送ローラ９を回転させることにより、原稿が繰り出され、ジャム原稿を簡単に取り出すことができる。ジャム発生時には、上記電磁クラッチがオフとされ、第２搬送ローラ８及び第３搬送ローラ９がフリー回転可能な状態とされているから、この操作ノブ３０の回転操作は、抵抗が少なく小さな力でなされる。電磁クラッチがオンとされ、通常の原稿搬送の為に第３搬送ローラ９が回転駆動すると、上記ワンウェイクラッチ手段２８ａがアンロック状態となるから、第３搬送ローラ９の回転が操作ノブ３０に伝達されることがない。
【００４０】
操作ノブ３０は、従来であれば図６に示すように、中間インナーガイドフレーム２０から突出したボス６１にネジ５２によって取り付けられる。しかしこのままでは、操作ノブ３０とネジ５２との間に隙間６３があるので、この隙間６３による上記問題が生じる。上記問題を解決するために、取り付け手段として圧縮コイルバネを一端に取り付けたブラケットを用い、圧縮コイルバネによる押し付け力によって操作ノブ３０を中間インナーガイドフレーム２０側に押し付けるように構成する。
【００４１】
図３（ａ）に示すように、ブラケット３１の一端に、圧縮コイルバネ３２をワッシャ３３を介してネジ３４で固定する。そして、図３（ｂ）に示すように、操作ノブ３０をボスに挿入してネジ止めした後、操作ノブ３０をフレーム側に押し付けるように圧縮コイルバネ３２を圧接し、ブラケット３１を取り付ける。図２に示すように、ブラケット３１の他の一端を非回転部位の例えば、中間インナーガイドフレーム２０の所定位置にネジ３５で固定する。
【００４２】
圧縮コイルバネ３２の取り付け方法として、バネが締まる方向（巻き数が大きくなる方向）と操作ノブ３０の回転方向が同じになるようにすることが好ましい。これによって、圧縮コイルバネ３２の復元力が増強するので、操作ノブ３０に対する押し付け力（復元力、復帰力）を強く作用させることができる。
【００４３】
ブラケット３１の形状は、図３の形状に制限されず、例えば、その取り付け位置の構造によって適宜変更できる。
【００４４】
以上の実施形態によれば、駆動時に連動して操作ノブ３０が回転してもガタつきや異音が生じないものとなる。また、非回転部位にブラケット３１の一端をネジ３５で固定しているので、操作ノブ３０の回転による取り付けネジの緩みが生じない。なお、ネジによる固定方法に制限されず、例えばボルト・ナット等による固定方法でもよい。
【００４５】
また、上記実施形態において、圧縮コイルバネ３２を用いたが、これに制限されず、例えば、板バネを用いることもできる。また、ブラケット３１を取り付ける非回転部位は、図２に示した位置に制限されず、他の非回転部位でもよい。
【００４６】
（実施形態２）
以下では、取り付け手段の他の実施形態について説明する。図４（ａ）、（ｂ）に示すように、取り付け手段は、キャップ４０で構成される。キャップ４０の内側収納部には圧縮コイルバネ４１が配置される。さらに、キャップ４０とフロンフレーム２５から突出したボス４３との勘合部分は、回転しないように構成される。図４において、キャップ４０にキー孔４０ａが形成され、ボス４３にはキー孔４０ａに対応して勘合する形状のキー４３ａが形成されている。ボス４３に操作ノブ３０を取り付け、その次に、圧縮コイルバネ４１を収納したキャップ４０を取り付け、ネジ４２で取り付け固定する。
【００４７】
以上の実施形態によれば、圧縮コイルバネ４１に圧縮荷重が作用し、圧縮コイルバネ４１の復元力で的確に操作ノブ３０の振動を抑制することができる。さらに、取り付け手段をキャップ構造で構成したことにより、取り付けネジ４２が操作ノブ３０に直接に接触することもなく、操作ノブ３０が削れることもない。また、操作ノブ３０の回転による取り付けネジ４２の緩みも生じない。
【００４８】
また、キー孔４０ａ及びキー４３ａの形状は、図３に示す形状に制限されず、キャップ４０が操作ノブ３０に連動して回転しないように構成されれば、他の形状でもよい。
【００４９】
以上の実施形態１，２において、操作ノブ３０が装置本体のフロント側に設けた例を説明したが、特にこれに限定されず、従来例と同様に装置本体のリア側に設ける構成でもよい。
＜別実施形態＞
【００５０】
上記実施形態では、原稿搬送系における原稿搬送装置を例にとって説明したが、記録用紙の搬送系における操作ノブの取り付け手段にも本発明が適用可能である。
【００５１】
また、本実施形態１，２の操作ノブの取り付け方式は、上記特許文献１の用紙搬送装置に好適に適用できる。
【図面の簡単な説明】
【００５２】
【図１】ＡＤＦの要部の縦断面図
【図２】ＡＤＦのフロント側から見た駆動機構の正面図
【図３】実施形態１に係る取り付け手段の一例を説明する図
【図４】実施形態２に係る取り付け手段の一例を説明する図
【図５】従来の操作ノブを説明する図
【図６】従来の操作ノブの取り付け方法を説明する図
【符号の説明】
【００５３】
３０      操作ノブ
３１      ブラケット
３２      圧縮コイルバネ
３３      ワッシャ
３４      ネジ
３５      ネジ
４０      キャップ
４１      圧縮コイルバネ
４２      ネジ
４３      ボス
【図１】
2008050073.tif 000003
【図２】
2008050073.tif 000004
【図３】
2008050073.tif 000005
【図４】
2008050073.tif 000006
【図５】
2008050073.tif 000007
【図６】
2008050073.tif 000008